(57)【要約】【課題】  緑化が行われる壁部の外表面の意匠性（見栄え）の向上を図ることができると共に、壁部の外表面に欠損を生じさせることなくこの壁部の外表面に着脱自在に取り付けることができる灌水管保持装置を提供すること。【解決手段】  緑化される壁部１３の外表面１３ａに取り付けられ、内部に取り付けられる灌水管１４内の水を、下部に設けられた灌水排出口１５を介して外部に排出することができる灌水管保持装置１２において、灌水管１４が取り付けられる灌水管保持部材２９と、灌水管１４を覆う位置に灌水管保持部材２９に取り付けられる正面カバー部材３０とを備え、灌水管保持部材２９は、壁部１３の外表面１３ａに対して係合構造３１によって着脱自在に取り付けることができる構成。【選択図】      図３
2014050341.tif 000002
【特許請求の範囲】
【請求項１】
緑化される壁部の外表面に取り付けられ、内部に取り付けられる灌水管内の水を、下部に設けられた灌水排出口を介して外部に排出することができる灌水管保持装置において、
前記灌水管が取り付けられる灌水管保持部材と、
前記灌水管を覆う位置に前記灌水管保持部材に取り付けられる正面カバー部材とを備え、
前記灌水管保持部材は、前記壁部の外表面に対して係合構造、接着剤、又は粘着材によって着脱自在に取り付けることができる構成としたことを特徴とする灌水管保持装置。
【請求項２】
前記係合構造は、前記灌水管保持部材に形成された係合部と、前記壁部の外表面に形成された被係合部とを有し、
前記係合部は、前記被係合部に着脱自在に引っ掛けて係合させることができ、当該係合部の底部に向かうに従ってその内部空間が拡大する断面台形状の凹部として形成され、
前記被係合部は、その先端部に向かうに従って拡大する断面台形状の凸部として形成されていることを特徴とする請求項１記載の灌水管保持装置。
【請求項３】
前記灌水管保持部材は、
前記灌水管を着脱自在に把持することができる管取付け部と、
前記正面カバー部材が締結部材又は嵌合構造によって着脱自在に取り付けられる正面カバー取付け部とを有することを特徴とする請求項１又は２記載の灌水管保持装置。
【請求項４】
前記灌水管保持装置は、その長さ方向の端部が開口端部として形成され、この開口端部が端部カバーによって閉じられ、
前記灌水管保持部材は、前記端部カバーが締結部材又は嵌合構造によって着脱自在に取り付けられる端部カバー取付け部を有することを特徴とする請求項１乃至３のいずれかに記載の灌水管保持装置。
【請求項５】
前記正面カバー部材の外表面は、前記壁部の外表面、又は当該壁部の外表面に設けられるタイルを含む表面部材の外表面の形状、模様、又はこれらの結合した形態に合わせて形成されていることを特徴とする請求項１乃至４のいずれかに記載の灌水管保持装置。
【請求項６】
前記灌水管は、複数の散水孔が形成され、
前記灌水排出口は、前記灌水管保持部材と前記正面カバー部材との間の隙間によって形成されていることを特徴とする請求項１乃至５のいずれかに記載の灌水管保持装置。
【請求項７】
請求項１乃至６のいずれかに記載の灌水管保持装置が、前記壁部の外表面に取り付けられていることを特徴とする壁面緑化構造。
【請求項８】
前記壁部の外表面に設けられるタイルを含む表面部材の外表面、又は、前記表面部材及び前記正面カバー部材の両方の外表面が、植物が登坂可能なように粗面に形成されていることを特徴とする請求項７記載の壁面緑化構造。
【請求項９】
前記灌水管保持装置は、その内部に取り付けられる前記灌水管の中心線が略水平となるように、前記壁部の外表面に取り付けられ、
前記灌水管には、その長さ方向に沿って複数の散水孔が形成され、
前記灌水排出口は、前記灌水管の延びる長さに形成されていることを特徴とする請求項７又は８記載の壁面緑化構造。
【発明の詳細な説明】
【技術分野】
【０００１】
本発明は、緑化される壁部の外表面に取り付けられ、内部に取り付けられる灌水管内の水を、下部に設けられた灌水排出口を介して外部に排出することができる灌水管保持装置、及びそれを使用する壁面緑化構造に関する。
【背景技術】
【０００２】
近年、建物が集中する都市部において、産業活動に伴う排出熱や、太陽熱に基づいて起こるヒートアイランド現象によって、気温が上昇するという問題がある。このヒートアイランド現象による温度上昇を低減するためには、都市部の緑化を実施することが有効であるとされているが、都市部においては、緑化を実施するための公園等の面積が限られており、新たに緑化を実施することが困難な状況となっている。
【０００３】
このため、都市部では、建物の屋上や壁面に対して緑化（壁面緑化等）を実施することで、ヒートアイランド現象を緩和することができると共に、緑化の実施によって、建物の屋上や壁面を形成する壁部の断熱効果も得られる。そこで、環境負荷の低減を目的として、建物に対する緑化が多く実施されるようになってきている。
【０００４】
従来の壁面緑化の実施に使用される壁面緑化パネル構造の一例を説明する（例えば、特許文献１参照。）。この壁面緑化パネル構造は、壁の表面に保水力の大きい保水マットをアンカーボルトで固定したものである。そして、保水マットの外表面には、植物を植え付けるポーラスコンクリートからなる緑化基盤を重ね合わせて配置してあり、この状態で、この緑化基盤の表面を金網で覆い、この金網の四隅をアンカーボルトで壁に固定してある。この金網は、緑化基盤を保水マット及び壁に押し付けており、これによって、緑化基盤を壁に取り付けている。
【０００５】
そして、保水マットの上縁に沿って潅水管が設けられ、この灌水管には、多数の点滴孔が形成されている。この潅水管の点滴孔から排出される水は、保水マットを介して緑化基盤に供給され、この供給された水は、緑化基盤に植え付けられた植物の育成に利用される。
【先行技術文献】
【特許文献】
【０００６】
【特許文献１】特開２００２−７７号公報
【発明の概要】
【発明が解決しようとする課題】
【０００７】
しかし、上記従来の壁面緑化パネル構造では、保水マットの上縁に沿って潅水管が設けられているが、この灌水管をどのようにして、どこに取り付けているかが不明である。そこで、例えば灌水管をビスで壁面に取り付けることとすると、この壁面に欠損が生じ、この欠損から雨水が壁内部に進入することが考えられる。壁内部に雨水が進入すると、壁の強度を低下させたり、壁の耐久性を低下させる可能性がある。
【０００８】
そして、灌水管は、外側から見える状態で設けられているために見栄えが悪く、見栄えを良くするために、この灌水管をカバーによって覆うことが考えられる。しかし、例えばカバーをビスで壁面に取り付けることとすると、上記と同様に壁面に欠損が生じるという問題が生じる。
【０００９】
また、上記のように、灌水管及びカバーをビスで壁面に取り付けることとすると、このような取付け作業のための手間と時間が掛るという問題がある。そして、灌水管及びカバーのメンテナンスのために、これらを取り外すときは、取外し作業のための手間と時間が掛るという問題もある。
【００１０】
本発明は、上記のような課題を解決するためになされたものであり、緑化が行われる壁部の外表面の意匠性（見栄え）の向上を図ることができると共に、壁部の外表面に欠損を生じさせることなくこの壁部の外表面に着脱自在に取り付けることができる灌水管保持装置及びそれを使用する壁面緑化構造を提供することを目的としている。
【課題を解決するための手段】
【００１１】
本発明に係る灌水管保持装置は、緑化される壁部の外表面に取り付けられ、内部に取り付けられる灌水管内の水を、下部に設けられた灌水排出口を介して外部に排出することができる灌水管保持装置において、前記灌水管が取り付けられる灌水管保持部材と、前記灌水管を覆う位置に前記灌水管保持部材に取り付けられる正面カバー部材とを備え、前記灌水管保持部材は、前記壁部の外表面に対して係合構造、接着剤、又は粘着材によって着脱自在に取り付けることができる構成としたことを特徴とするものである。
【００１２】
この発明に係る灌水管保持装置によると、緑化される壁部の外表面に取り付けられ、内部に取り付けられる灌水管内の水を、当該灌水管保持装置の下部に設けられた灌水排出口を介して外部に排出することができる。この排水は、壁部の外表面に配置される植物の育成に利用することができる。
【００１３】
この灌水管保持装置を壁部の外表面に設けるときは、例えばまず、灌水管を灌水管保持部材に取り付ける。次に、正面カバー部材を、灌水管を覆う位置に配置して、灌水管保持部材に取り付ける。そして、灌水管が取り付けられた灌水管保持装置を、壁部の外表面に対して係合構造、接着剤、又は粘着材によって着脱自在に取り付ける。このようにして、灌水管保持装置を壁部の外表面に取り付けることができる。
【００１４】
この発明に係る灌水管保持装置において、前記係合構造は、前記灌水管保持部材に形成された係合部と、前記壁部の外表面に形成された被係合部とを有し、前記係合部は、前記被係合部に着脱自在に引っ掛けて係合させることができ、当該係合部の底部に向かうに従ってその内部空間が拡大する断面台形状の凹部として形成され、前記被係合部は、その先端部に向かうに従って拡大する断面台形状の凸部として形成されているものとするとよい。
【００１５】
この係合構造によると、灌水管保持部材に形成された係合部を、壁部の外表面に形成された被係合部に着脱自在に引っ掛けて係合させることができる。これによって、灌水管保持装置を壁部の外表面に取り付けるための手間と時間の更なる低減を図ることができる。
【００１６】
この発明に係る灌水管保持装置において、前記灌水管保持部材は、前記灌水管を着脱自在に把持することができる管取付け部と、前記正面カバー部材が締結部材又は嵌合構造によって着脱自在に取り付けられる正面カバー取付け部とを有するものとするとよい。
【００１７】
このようにすると、灌水管の灌水管保持部材に対する取付け及び取外しのための手間と時間の低減を図ることができる。そして、正面カバー部材は、正面カバー取付け部に締結部材又は嵌合構造によって着脱自在に取り付けることができるので、正面カバー部材の正面カバー取付け部に対する取付け及び取外しのための手間と時間の低減を図ることができる。
【００１８】
この発明に係る灌水管保持装置において、前記灌水管保持装置は、その長さ方向の端部が開口端部として形成され、この開口端部が端部カバーによって閉じられ、前記灌水管保持部材は、前記端部カバーが締結部材又は嵌合構造によって着脱自在に取り付けられる端部カバー取付け部を有するものとするとよい。
【００１９】
このように、灌水管保持装置の開口端部を端部カバーによって閉じることによって、壁部の外表面側に配置される植物が、当該開口端部から灌水管保持装置内に進入することを防止することができ、この植物によって灌水管に設けられる例えば散水孔が閉塞されることを防止できる。そして、端部カバーは、端部カバー取付け部に締結部材又は嵌合構造によって着脱自在に取り付けることができるので、端部カバーの端部カバー取付け部に対する取付け及び取外しのための手間と時間の低減を図ることができる。
【００２０】
この発明に係る灌水管保持装置において、前記正面カバー部材の外表面は、前記壁部の外表面、又は当該壁部の外表面に設けられるタイルを含む表面部材の外表面の形状、模様、又はこれらの結合した形態に合わせて形成されているものとするとよい。
【００２１】
このようにすると、壁部の外表面に取り付けられた灌水管保持装置が備える正面カバー部材の外表面と、壁部の外表面、又はこの外表面に設けられるタイルを含む表面部材の外表面とによって表現される、全体としての外観デザインの統一、纏まり、又は連続性を実現することができる。よって、壁部の外表面に取り付けられた灌水管保持装置の意匠性（見栄え）の向上を図ることができる。
【００２２】
この発明に係る灌水管保持装置において、前記灌水管は、複数の散水孔が形成され、前記灌水排出口は、前記灌水管保持部材と前記正面カバー部材との間の隙間によって形成されているものとするとよい。
【００２３】
このようにすると、灌水管内の水が、この灌水管に形成された散水孔、及び灌水管保持部材と正面カバー部材との間の隙間によって形成されている灌水排出口を通ってこの灌水管保持装置から排出される。そして、この排出された水は、壁部の外表面側に配置されている植物の育成に利用することができる。
【００２４】
本発明に係る壁面緑化構造は、本発明に係る灌水管保持装置が、前記壁部の外表面に取り付けられていることを特徴とするものである。
【００２５】
本発明に係る壁面緑化構造は、本発明に係る灌水管保持装置が壁部の外表面に取り付けられたものであり、この灌水管保持装置は、上記と同様に作用する。
【００２６】
この発明に係る壁面緑化構造において、前記壁部の外表面に設けられるタイルを含む表面部材の外表面、又は、前記表面部材及び前記正面カバー部材の両方の外表面が、植物が登坂可能なように粗面に形成されているものとするとよい。
【００２７】
このようにすると、例えば登坂型の蔓系植物が、この表面部材の外表面、又は、表面部材及び正面カバー部材の両方の外表面に引っ掛かるようにして登坂することができる。これによって、例えば蔓を巻き付かせて植物を保持するためのワイヤ（補助材）が不要となり、その分だけ施工性の向上を図ることができる。
【００２８】
この発明に係る壁面緑化構造において、前記灌水管保持装置は、その内部に取り付けられる前記灌水管の中心線が略水平となるように、前記壁部の外表面に取り付けられ、前記灌水管には、その長さ方向に沿って複数の散水孔が形成され、前記灌水排出口は、前記灌水管の延びる長さに形成されているものとするとよい。
【００２９】
このようにすると、灌水管内の水が、散水孔及び灌水排出口を通ってこの灌水管保持装置から排出される。そして、この排出された水は、壁部の外表面側に配置されている植物の育成に利用することができる。
【００３０】
そして、灌水管保持装置は、その内部に取り付けられる灌水管の中心線が略水平となるように、壁部の外表面に取り付けられ、灌水管は、その長さ方向に沿って複数の散水孔が形成され、更に、灌水排出口は、灌水管の延びる長さに形成されていることによって、壁部外表面の横幅方向の全体に亘って灌水管内の水を放出することが可能となる。これによって、壁部外表面の横幅方向の全体に亘って配置される植物に水を与えることができ、壁部外表面の全体の緑化を実現することができる。
【発明の効果】
【００３１】
この発明に係る灌水管保持装置及び壁面緑化構造によると、その正面カバー部材は、灌水管が外側から見えないように、この灌水管を覆うことができるので、灌水管が取り付けられて緑化が行われる壁部外表面全体の意匠性（見栄え）の向上を図ることができる。そして、灌水管保持部材を、壁部の外表面に対して係合構造、接着剤、又は粘着材によって着脱自在に取り付けることができるので、壁部の外表面に欠損を生じさせることがない。しかも、灌水管保持装置の壁部外表面に対する取付け及び取外しのための手間と時間の低減を図ることができ、灌水管保持装置及び灌水管のメンテナンスを容易に行うことができる。
【図面の簡単な説明】
【００３２】
【図１】この発明の第１実施形態に係る壁面緑化構造であり、壁部の上端部に適用した例を示す部分縦断面図である。
【図２】同実施形態に係る壁面緑化構造であり、壁部の上端部よりも下方位置に適用した例を示す部分縦断面図である。
【図３】図１に示す壁面緑化構造の部分拡大縦断面図である。
【図４】図２に示す壁面緑化構造が適用された壁部を示す部分正面斜視図である。
【図５】図２に示す壁面緑化構造が適用された壁部を示す部分正面図である。
【図６】図３に示す灌水管保持装置が備える灌水管保持部材を示す図であり、（ａ）は、側面図、（ｂ）は、正面図である。
【図７】図６（ａ）に示す灌水管保持部材の拡大側面図である。
【図８】図３に示す灌水管保持装置が備える正面カバー部材を示す図であり、（ａ）は、側面図、（ｂ）は、正面図である。
【図９】図３に示す灌水管保持装置の開口端部に端部カバーを取り付ける方法を示す拡大側面図である。
【図１０】本発明の他の実施形態に係る壁面緑化構造を示す図であり、（ａ）は、第２実施形態の部分縦断面図、（ｂ）は、第３実施形態の部分縦断面図、（ｃ）は、第４実施形態の部分縦断面図である。
【図１１】本発明に係る壁面緑化構造の第５実施形態を示す部分縦断面図である。
【発明を実施するための形態】
【００３３】
以下、本発明に係る灌水管保持装置、及びそれを使用する壁面緑化構造の第１実施形態を、図１〜図９を参照して説明する。図１及び図２は、壁面緑化構造１１を示す図であり、図１は、灌水管保持装置１２が壁部１３の上端部に取り付けられている状態を示し、図２は、灌水管保持装置１２が壁部１３の上端部よりも下方位置に取り付けられている状態を示している。
【００３４】
この灌水管保持装置１２は、図１に示すように、緑化される壁部１３の外表面１３ａに取り付けられ、内部に取り付けられる灌水管１４内の水を、下部に設けられた灌水排出口１５を介して外部に排出することができるものである。そして、この排出された水は、壁部１３の外表面１３ａ側に配置されている植物１６の育成に利用することができる。
【００３５】
図１に示す壁面緑化構造１１は、壁部１３と、この壁部１３に取り付けられた灌水管保持装置１２と、この灌水管保持装置１２内に取り付けられている灌水管１４とを備えている。
【００３６】
図１に示すように、この灌水管保持装置１２が取り付けられている壁部１３は、複数の板状部材１７によって形成されている。この板状部材１７は、例えば押出成形セメント板であり、その押出方向に平行して中空部１８が形成されている。そして、この中空部１８が形成されている板状体１７ａの一方の外表面１３ａには、互いに一定間隔を隔てて略平行する複数の被係合部１９が、板状体１７ａと一体に押出成形されている。
【００３７】
この実施形態の壁部１３を形成する板状部材１７の取り付け方向は、中空部１８の長さ方向が横方向（水平方向）となるように、この板状部材１７が建物の躯体２０又は２１に取り付けられている（所謂、「横張り」されている。）。
【００３８】
そして、図２に示すように、板状部材１７の上辺部に凸部２２が形成され、下辺部に凹部２３が形成されており、上下に隣接して配置されている板状部材１７どうしは、これら凸部２２と凹部２３とを嵌合させて連結されている。また、板状部材１７の各辺部どうしの間に形成される目地には、シーリング材２４やバックアップ材が設けられている。
【００３９】
ただし、板状部材１７を押出成形セメント板としたが、これに代えて、金属製又は合成樹脂製の板状部材としてもよい。板状部材１７の材質は、その板状部材１７が使用される例えば建物、土木構造物、又は塀の各壁部１３の用途に適した金属製又は合成樹脂製等とすることができる。また、中空部１８は、省略してもよい。
【００４０】
そして、板状部材１７を構成する板状体１７ａと被係合部１９とは、一体に形成してもよいし、別個の部品として製造して、被係合部１９を板状体１７ａに取り付けるようにしてもよい。
【００４１】
また、図１及び図２に示すように、板状部材１７は、取付け金物２５及びボルト２６によって下地材２７（例えばＬ型アングル）に取り付けられ、この下地材２７は、ブラケット２８を介して躯体２０又は２１に固定して取り付けられている。
【００４２】
次に、図３等を参照して、灌水管保持装置１２を説明する。この灌水管保持装置１２は、灌水管保持部材２９と、正面カバー部材３０とを備えている。これら灌水管保持部材２９及び正面カバー部材３０は、例えばそれぞれが合成樹脂製であり所定の長さに形成され、押出成形によって作られている。ただし、灌水管保持部材２９及び正面カバー部材３０は、合成樹脂以外の材質としてもよく、例えば金属製としてもよい。
【００４３】
灌水管保持部材２９は、灌水管１４が着脱自在に取り付けられるものであって、壁部１３の外表面１３ａに対して係合構造３１によって着脱自在に取り付けることができる構成となっている。
【００４４】
この係合構造３１は、図３に示すように、灌水管保持部材２９（図６参照）に形成された係合部３２と、壁部１３の外表面１３ａに形成された被係合部１９とを有している。
【００４５】
係合部３２は、被係合部１９の上縁部１９ａ及び下縁部１９あに対して、シーリング材３３を介して着脱自在に引っ掛けて係合させることができ、当該係合部３２の底部に向かうに従ってその内部空間が拡大する断面台形状の凹部として形成されている。この係合部３２の断面は、係合部３２の長さ方向に対して略垂直方向の断面である。
【００４６】
この断面台形状の凹部を形成する係合部３２は、細長く平板状に形成された係合本体部３４を有している。そして、この係合本体部３４の上下の各縁部に係合爪３５が形成されている。この上下一対の係合爪３５は、被係合部１９に対して着脱自在に係合（把持）できるように、弾性変形によって拡縮できるようになっている。
【００４７】
そして、壁部１３の外表面１３ａに形成された被係合部１９は、図３に示すように、先端部に向かうに従って拡大する断面台形状の凸部として形成されている。この図３に示す被係合部１９の断面は、被係合部１９の長さ方向に対して略垂直方向の断面を表している。この被係合部１９の上下の各縁部１９あには、上記のように、シーリング材３３を介して係合部３２の上下の各係合爪３５が着脱自在に係合されている。
【００４８】
また、図３に示す灌水管保持部材２９は、灌水管１４を着脱自在に把持することができる管取付け部３６と、正面カバー部材３０が着脱自在に取り付けられる正面カバー取付け部３７とを有している。
【００４９】
この管取付け部３６は、図３及び図７に示すものであり、第１管取付け部３６と、第２管取付け部３６とを有している。第１管取付け部３６は、係合本体部３４の下部に設けられている。そして、第２管取付け部３６は、下側の係合爪３５の先端部から下方に向かって延びるように形成された灌水管保持部材２９の下部に設けられている。これら第１及び第２のそれぞれの管取付け部３６は、灌水管１４を着脱自在に把持することができるように、弾性変形によって拡縮できるように形成されている。
【００５０】
また、この灌水管１４は、その長さ方向に沿って複数の散水孔１４ａが形成され、この灌水管１４内の水が各散水孔１４ａから排出されるようになっている。
【００５１】
正面カバー取付け部３７は、断面形状がコ字状に形成され、その上下の各端縁部が係合本体部３４に結合している。そして、この正面カバー取付け部３７の正面壁部に、正面カバー部材３０が着脱自在に取り付けられている。
【００５２】
正面カバー部材３０は、図３及び図８に示すものであり、灌水管保持部材２９と同等の長さに形成され、灌水管１４を覆う位置に配置され、例えばビス等の締結部材３８によって、灌水管保持部材２９の正面カバー取付け部３７に対して着脱自在に締結されている。
【００５３】
また、図３に示すように、正面カバー部材３０を正面カバー取付け部３７に対して所定の位置関係で取り付けることができると共に、この正面カバー部材３０を保持することができるように、正面カバー部材３０の内面に凸条３９が形成されている。この凸条３９は、正面カバー取付け部３７の先端部の上角部上に装着される。
【００５４】
そして、図３に示すように、正面カバー部材３０及び灌水管保持部材２９は、その２つの部材３０、２９の下縁部どうしの隙間が略水平方向に延びるように形成されている。この隙間が灌水排出口１５として形成され、その２つの部材３０、２９の下縁部の断面形状が漏斗状となるように形成されている。
【００５５】
つまり、灌水管１４内の水４０が、散水孔１４ａ及び灌水排出口１５を通って灌水管保持装置１２から下方に排出されて、壁部１３の外表面１３ａに貼着されたタイルを含む表面部材４１の外表面４１ａに沿って流下するようにこの散水孔１４ａ及び灌水排出口１５が形成されている。そして、この灌水排出口１５から排出される水は、表面部材４１の外表面４１ａ側に配置される植物１６の育成に利用することができる。
【００５６】
また、図４及び図５に示すように、灌水管保持装置１２は、その内部に取り付けられる灌水管１４の中心線が略水平となるように、壁部１３の外表面１３ａに取り付けられている。そして、灌水排出口１５は、例えば灌水管１４に沿ってこの灌水管保持装置１２の全長に亘って形成されている。
【００５７】
更に、図４に示すように、正面カバー部材３０の外表面３０ａは、当該壁部１３の外表面１３ａに設けられるタイルを含む表面部材４１の外表面４１ａの形状、模様、又はこれらの結合した形態に合わせて形成されている。そして、この表面部材４１及び正面カバー部材３０のそれぞれの外表面４１ａ、３０ａは、植物１６が登坂可能なように粗面に形成されている。
【００５８】
なお、この表面部材４１の壁部１３の外表面１３ａに対する係合構造５９は、図２に示すように、灌水管保持装置１２の壁部１３の外表面１３ａに対する係合構造３１と同等である。つまり、表面部材４１は、細長い板状体として形成され、その背面には、灌水管保持部材２９の係合部３２と同等の断面形状及び大きさの係合部６０が形成されている。この表面部材４１の係合部６０を、壁部１３の外表面１３ａに形成されている被係合部１９にシーリング材３３を介して係合させることによって、表面部材４１が壁部１３の外表面１３ａに取り付けられている。
【００５９】
次に、図９を参照して端部カバー４２について説明する。図９に示すように、灌水管保持装置１２は、その長さ方向の端部が開口端部１２ａとして形成され、この開口端部１２ａが端部カバー４２によって閉じられるように形成されている。この端部カバー４２は、ビス等の締結部材４３を、灌水管保持部材２９に設けられている端部カバー取付け部４４に着脱自在に係合させることによって、灌水管保持装置１２の開口端部１２ａに着脱自在に取り付けられている。この端部カバー取付け部４４は、ビス等の締結部材４３を着脱自在に係合することができるように、弾性変形によって拡縮できるようになっている。
【００６０】
次に、上記のように構成された灌水管保持装置１２及び壁面緑化構造１１の作用を説明する。この灌水管保持装置１２は、例えば図１に示すように壁部１３の上端部、及び図２に示すように、壁部１３の上端部よりも下方位置に取り付けることができる。この灌水管保持装置１２によると、図１〜図４に示すように、緑化される壁部１３の外表面１３ａに取り付けられ、内部に取り付けられる灌水管１４内の水４０を、当該灌水管保持装置１２の下部に設けられた灌水排出口１５を介して外部に排出することができる。この排水４０は、壁部１３の外表面１３ａ側に配置される植物１６の育成に利用することができる。
【００６１】
この灌水管保持装置１２を壁部１３の外表面１３ａに取り付けるときは、例えばまず、図３に示すように、灌水管１４を灌水管保持部材２９の管取付け部３６に着脱自在に取り付ける。次に、正面カバー部材３０を、灌水管１４を覆う位置に配置して、灌水管保持部材２９の正面カバー取付け部３７に対してビス等の締結部材３８を使用して着脱自在に取り付ける。そして、灌水管１４が取り付けられた灌水管保持装置１２を、壁部１３の外表面１３ａに対して係合構造３１によって壁部１３の外表面１３ａに着脱自在に取り付ける。このようにして、灌水管保持装置１２を壁部１３の外表面１３ａに取り付けることができる。
【００６２】
そして、この灌水管保持装置１２及び壁面緑化構造１１によると、図１〜図３等に示すように、その正面カバー部材３０は、灌水管１４が外側から見えないように、この灌水管１４を覆うことができるので、灌水管１４が取り付けられて緑化が行われる壁部１３の外表面１３ａ、つまり、表面部材４１の外表面４１ａ全体の意匠性（見栄え）の向上を図ることができる。
【００６３】
そして、灌水管保持部材２９を、壁部１３の外表面１３ａに対して係合構造３１によって着脱自在に取り付けることができるので、壁部１３の外表面１３ａに欠損を生じさせることがない。しかも、灌水管保持装置１２の壁部外表面１３ａに対する取付け及び取外しのための手間と時間の低減を図ることができ、灌水管保持装置１２及び灌水管１４のメンテナンスを容易に行うことができる。
【００６４】
また、図３に示すように、この係合構造３１によると、灌水管保持部材２９に形成された係合部３２を、壁部１３の外表面１３ａに形成された被係合部１９に着脱自在に引っ掛けて係合させることができる。これによって、灌水管保持装置１２を壁部１３の外表面１３ａに取り付けるための手間と時間の更なる低減を図ることができる。
【００６５】
更に、図３に示すように、管取付け部３６は、灌水管１４を着脱自在に把持することができる構成としたので、灌水管１４の灌水管保持部材２９に対する取付け及び取外しのための手間と時間の低減を図ることができる。そして、正面カバー取付け部３７は、正面カバー部材３０をビス等の締結部材３８によって着脱自在に取り付けることができる構成としたので、正面カバー部材３０の正面カバー取付け部３７に対する取付け及び取外しのための手間と時間の低減を図ることができる。
【００６６】
そして、図９に示すように、灌水管保持装置１２の開口端部１２ａを端部カバー４２によって閉じることができる構成としたことによって、壁部１３の外表面１３ａ側に配置される植物１６が、当該開口端部１２ａから灌水管保持装置１２内に進入することを防止することができ、この植物１６によって灌水管１４に設けられている例えば散水孔１４ａが閉塞されることを防止できる。そして、端部カバー４２は、端部カバー取付け部４３にビス等の締結部材４３によって着脱自在に取り付けることができるので、端部カバー４２の端部カバー取付け部４３に対する取付け及び取外しのための手間と時間の低減を図ることができる。
【００６７】
また、図４に示すように、灌水管保持装置１２が備える正面カバー部材３０の外表面３０ａは、壁部１３の外表面１３ａに設けられているタイルを含む表面部材４１の外表面４１ａの形状、模様、又はこれらの結合した形態に合わせて形成されているものとしたことによって、この正面カバー部材３０の外表面３０ａと、壁部１３の外表面１３ａに設けられている表面部材４１の外表面４１ａとによって表現される、全体としての外観デザインの統一、纏まり、又は連続性を実現することができる。よって、壁部１３の外表面１３ａに取り付けられた灌水管保持装置１２の意匠性（見栄え）の向上を図ることができる。
【００６８】
更に、図４に示すように、壁部１３の外表面１３ａに設けられている表面部材４１及び正面カバー部材３０の両方の外表面４１ａ、３０ａが、植物１６が登坂可能なように粗面に形成されている構成としたことによって、例えば登坂型の蔓系植物１６が、これら表面部材４１及び正面カバー部材３０の両方の外表面４１ａ、３０ａに引っ掛かるようにして登坂することができる。これによって、例えば蔓を巻き付かせて植物１６を保持するためのワイヤ（補助材）が不要となり、その分だけ施工性の向上を図ることができる。
【００６９】
そして、図１及び図４に示すように、灌水管保持装置１２は、その内部に取り付けられている灌水管１４の中心線が略水平となるように、壁部１３の外表面１３ａに取り付けられ、かつ、灌水管保持装置１２及び灌水管１４は、壁部外表面１３ａの横幅全体に亘る寸法に形成されている。そして、灌水管１４には、その長さ方向に沿って、その略全域に亘って複数の散水孔１４ａが形成されている。また、灌水排出口１５は、灌水管１４に沿って、灌水管保持装置１２の長さ方向の略全域に亘って形成されている。これによって、壁部外表面１３ａの横幅方向の全体に亘って灌水管１４内の水４０を放出することができる。これによって、壁部外表面１３ａの横幅方向の全体に亘って配置される植物１６に水を与えることができ、壁部外表面１３ａの全体の緑化を実現することができる。
【００７０】
次に、本発明に係る壁面緑化構造の第２実施形態を、図１０（ａ）を参照して説明する。この図１０（ａ）に示す第２実施形態の壁面緑化構造４６と、図３に示す第１実施形態の壁面緑化構造１１とが相違するところは、図３に示す第１実施形態では、灌水管保持部材２９を、壁部１３の外表面１３ａに対して係合構造３１によって着脱自在に取り付けることができる構成としたのに対して、図１０（ａ）に示す第２実施形態では、灌水管保持部材２９を、壁部１３の外表面１３ａに対して接着剤４７又は粘着材によって着脱自在に取り付けることができる構成としたところである。
【００７１】
これ以外は、図３に示す第１実施形態と同等の構成であり同様に作用するので、同等の部分の主要部分を同一の図面符号で示し、それらの詳細な説明を省略する。
【００７２】
このように灌水管保持部材２９を、壁部１３の外表面１３ａに対して接着剤４７又は粘着材によって着脱自在に取り付けることができる構成としても、第１実施形態と同様に、壁部１３の外表面１３ａに欠損を生じさせることがない。しかも、灌水管保持装置１２の壁部外表面１３ａに対する取付け及び取外しのための手間と時間の低減を図ることができる。
【００７３】
次に、本発明に係る壁面緑化構造の第３実施形態を、図１０（ｂ）を参照して説明する。この図１０（ｂ）に示す第３実施形態の壁面緑化構造４９と、図３に示す第１実施形態の壁面緑化構造１１とが相違するところは、係合構造５０と３１とが相違しているところである。
【００７４】
図１０（ｂ）に示す第３実施形態の係合構造５０は、灌水管保持部材２９に形成された係合部５１と、壁部１３の外表面１３ａに形成された被係合部５２とを有している。係合部５１は、断面形状がＴ字状の凸部であり、被係合部５２に着脱自在に引っ掛けて係合させることができ、その先端部が膨大部５１ａとして形成されている。被係合部５２は、係合部５１をその内部に装着することができるように、断面形状がＴ字状の凹部として形成されている。
【００７５】
これ以外は、図３に示す第１実施形態と同等の構成であり同様に作用するので、同等の部分の主要部を同一の図面符号で示し、それらの詳細な説明を省略する。
【００７６】
この図１０（ｂ）に示す灌水管保持部材２９の係合部５１を、壁部１３の被係合部５２に係合させるときは、係合部５１を被係合部５２の開口端部から挿入することによって行うことができる。
【００７７】
次に、本発明に係る壁面緑化構造の第４実施形態を、図１０（ｃ）を参照して説明する。この図１０（ｃ）に示す第４実施形態の壁面緑化構造５４と、図３に示す第１実施形態の壁面緑化構造１１とが相違するところは、係合構造５５と３１とが相違しているところである。
【００７８】
図１０（ｃ）に示す第４実施形態の係合構造５５は、灌水管保持部材２９に形成された係合部５６と、壁部１３の外表面１３ａに形成された被係合部５７とを有している。係合部５６は、灌水管保持部材２９の上壁部５６ａと下壁部５６ｂとによって形成され、被係合部５７、５７の内面に着脱自在に引っ掛けて係合できるように、弾性変形によって拡縮可能になっている。被係合部５７は、係合部５６を含む灌水管保持部材２９をその内部に装着することができるように、断面矩形の凹部として形成されている。
【００７９】
これ以外は、図３に示す第１実施形態と同等の構成であり同様に作用するので、同等の部分の主要部を同一の図面符号で示し、それらの詳細な説明を省略する。
【００８０】
この図１０（ｃ）に示す灌水管保持部材２９の係合部５６を、壁部１３の被係合部５７に係合させるときは、係合部５６を被係合部５７の正面開口部から挿入することによって行うことができる。
【００８１】
次に、本発明に係る壁面緑化構造の第５実施形態を、図１１を参照して説明する。この図１１に示す第５実施形態の壁面緑化構造６１と、図３に示す第１実施形態の壁面緑化構造１１とが相違するところは、正面カバー部材３０を、ビス等の締結部材３８を使用して、灌水管保持部材２９の正面カバー取付け部３７に着脱自在に取り付けている締結部材３８の締結位置が相違しているところである。そして、図９に示す端部カバー４２を、ビス等の締結部材４３を使用して、灌水管保持部材２９の端部カバー取付け部４４に着脱自在に取り付けている締結部材４３の締結位置も相違しているところである。
【００８２】
つまり、図３に示す第１実施形態では、正面カバー部材３０及び灌水管保持部材２９のそれぞれの上下方向の中央部あたりの位置を、締結部材３８の締結位置としたのに対して、図１１に示す第５実施形態では、正面カバー部材３０及び灌水管保持部材２９のそれぞれの上端部あたりの位置を、締結部材３８の締結位置としている。
【００８３】
このように、図１１に示すように、締結部材３８の締結位置を、正面カバー部材３０及び灌水管保持部材２９のそれぞれの上端部あたりの位置としたことによって、締結部材３８の頭部が、この正面カバー部材３０の上部と、その上方位置に設けられる表面部材４１の下部との間の目地部に配置されることになり、締結部材３８の頭部が外から見て目立ち難くすることができる。これによって、灌水管保持装置１２の意匠性を更に向上させることができる。
【００８４】
そして、図９に示す第１実施形態では、端部カバー４２及び灌水管保持部材２９のそれぞれの上下方向の中央部あたりの位置を、締結部材４３の締結位置としたのに対して、図１１に示す第５実施形態では、端部カバー４２及び灌水管保持部材２９のそれぞれの上端部であって、正面カバー部材３０の上部に形成されている角部あたりの位置を、締結部材４３の締結位置としている。
【００８５】
このように、締結部材４３の締結位置を、図１１に示すように、端部カバー４２及び灌水管保持部材２９のそれぞれの上端部であって、正面カバー部材３０の上部に形成されている角部あたりの位置としたことによって、端部カバー４２を締結部材４３を使用して灌水管保持装置１２の長さ方向の開口端部１２ａに取り付けるときに、当該角部を締結部材４３の締結位置の目安とすることができ、締結部材４３を端部カバー取付け部４４にねじ止めする作業を簡単かつ迅速に行うことができる。
【００８６】
これ以外は、図３に示す第１実施形態と同等の構成であり同様に作用するので、同等の部分の主要部分を同一の図面符号で示し、それらの詳細な説明を省略する。
【００８７】
ただし、上記各実施形態では、図４に示すように、タイル等の表面部材４１及び正面カバー部材３０の両方の外表面４１ａ、３０ａが、植物１６が登坂可能なように粗面に形成されているものとしたが、これに代えて、表面部材４１及び正面カバー部材３０の両方の外表面４１ａ、３０ａを滑らかに形成してもよい。このようにしたときは、壁部１３に設けられた表面部材４１の外側にワイヤ等の補助材を鉛直方向に張り渡し、植物１６がこの補助材を登坂するようにしてもよい。
【００８８】
そして、上記実施形態では、図３に示すように、正面カバー部材３０を正面カバー取付け部３７に対して着脱自在にビス等の締結部材３８によって取り付ける構成としたが、これに代えて、正面カバー部材３０を正面カバー取付け部３７に対して例えば凸部と凹部との嵌合構造によって着脱自在に取り付ける構成としてもよい。
【００８９】
また、上記実施形態では、図９に示すように、端部カバー４２を端部カバー取付け部４３に対して着脱自在にビス等の締結部材４３によって取り付ける構成としたが、これに代えて、端部カバー４２を端部カバー取付け部４３に対して例えば凸部と凹部との嵌合構造によって着脱自在に取り付ける構成としてもよい。
【００９０】
更に、上記各実施形態では、図４に示すように、正面カバー部材３０の外表面３０ａは、壁部１３の外表面１３ａに設けられるタイルを含む表面部材４１の外表面４１ａの形状、模様、又はこれらの結合した形態に合わせて形成したが、壁部１３の外表面１３ａに表面部材４１が設けられない場合は、正面カバー部材３０の外表面３０ａは、壁部１３の外表面１３ａの形状、模様、又はこれらの結合した形態に合わせて形成してもよい。
【００９１】
そして、上記各実施形態では、灌水管保持部材２９、及び正面カバー部材３０は、それぞれが壁部外表面１３ａの横幅全体に亘る寸法の１本物を例に挙げて説明したが、これに代えて、複数の分割型のものを使用してもよい。また、灌水管保持部材２９は、壁部外表面１３ａの横幅全体に亘る寸法の１本物を壁部外表面１３ａに設けたが、これに代えて、所定長さ（例えば約２０ｃｍ）に形成されたパーツ部材としての複数の灌水管保持部材を、互いに長さ方向に間隔を隔てて壁部外表面１３ａに設けてもよい。このようにした場合、灌水管保持部材が取り付けられていない部分は、正面カバー部材３０と板状部材１７との間に形成される空間が灌水排出口１５となる。
【産業上の利用可能性】
【００９２】
以上のように、本発明に係る灌水管保持装置及びそれを使用する壁面緑化構造は、緑化が行われる壁部の外表面の意匠性（見栄え）の向上を図ることができると共に、壁部の外表面に欠損を生じさせることなくこの壁部の外表面に着脱自在に取り付けることができる優れた効果を有し、このような灌水管保持装置及びそれを使用する壁面緑化構造に適用するのに適している。
【符号の説明】
【００９３】
１１  壁面緑化構造
１２  灌水管保持装置
１２ａ  開口端部
１３  壁部
１３ａ  外表面
１４  灌水管
１４ａ  散水孔
１５  灌水排出口
１６  植物
１７  板状部材
１７ａ  板状体
１８  中空部
１９  被係合部
１９ａ  縁部
２０、２１  躯体
２２  凸部
２３  凹部
２４  シーリング材
２５  取付け金具
２６  ボルト
２７  下地材
２８  ブラケット
２９  灌水管保持部材
３０  正面カバー部材
３０ａ  外表面
３１  係合構造
３２  係合部
３３  シーリング材
３４  係合本体部
３５  係合爪
３６  管取付け部
３７  正面カバー取付け部
３８、４３  締結部材
３９  凸状
４０  水
４１  表面部材
４１ａ  外表面
４２  端部カバー
４４  端部カバー取付け部
４６、４９、５４  壁面緑化構造
４７  接着剤
５０  係合構造
５１  係合部
５１ａ  膨大部
５２  被係合部
５５  係合構造
５６  係合部
５６ａ  上壁部
５６ｂ  下壁部
５７  被係合部
５９  係合構造
６０  係合部
【図１】
2014050341.tif 000003
【図２】
2014050341.tif 000004
【図３】
2014050341.tif 000005
【図４】
2014050341.tif 000006
【図５】
2014050341.tif 000007
【図６】
2014050341.tif 000008
【図７】
2014050341.tif 000009
【図８】
2014050341.tif 000010
【図９】
2014050341.tif 000011
【図１０】
2014050341.tif 000012
【図１１】
2014050341.tif 000013